(57)【要約】 【課題】カム機構やばねを備えるヒンジ装置に関し、コンパクト化を図ることにある。また、カム機構やばねを備えるヒンジ装置を用いる機器に関し、機器内のヒンジ装置のコンパクト化を図ることにある。【解決手段】第１の軸（開閉軸８）にフレーム（１０）が回動可能に支持され、フレームを貫通して端部（１４）を第１の軸側に突出させた第２の軸（回転軸１２）が備えられ、第１の軸にばね（３４）を介して摺動するスライダ（３６）及びカム機構（３８）が設置されており、スライダに第２の軸の端部を収容する切欠部（５２）を備えたことにより、切欠部に第２の軸の一部が収納され、ヒンジ装置（２）のコンパクト化が図られている。【選択図】        図１
2008089049.tif 000002
【特許請求の範囲】
【請求項１】
第１の軸と、
この第１の軸に支持されて回転するフレームと、
前記フレームを貫通して端部を前記第１の軸側に突出させ、前記第１の軸と交差方向に設置した第２の軸と、
前記第１の軸にばねとともに支持されて前記第１の軸上を摺動するスライダと、  
前記フレームの回転により前記スライダを摺動させ、前記ばねを圧縮させ、前記ばねの圧縮状態又は圧縮からの開放状態により、前記フレームを所定角度で安定させるカム機構と、
前記スライダに形成され、前記第２の軸の前記端部を少なくとも収容する切欠部と、
を備えることを特徴とするヒンジ装置。
【請求項２】
請求項１のヒンジ装置において、
前記カム機構は、前記フレームとともに前記第１の軸上を回転する第１のカムと、前記第１の軸に固定されて前記第１のカムと噛み合う第２のカムとを備えることを特徴とするヒンジ装置。
【請求項３】
請求項１のヒンジ装置において、
前記カム機構は、前記スライダと一体化されて前記フレームとともに回転する第１のカムと、前記第１の軸に固定されて前記第１のカムと噛み合う第２のカムとを備えることを特徴とするヒンジ装置。
【請求項４】
請求項１のヒンジ装置において、
前記切欠部に前記第２の軸の前記端部に固定したカム板を収容させたことを特徴とするヒンジ装置。
【請求項５】
請求項３のヒンジ装置において、
前記第２のカムは、前記フレームに固定されて前記フレームとともに回転する第１のカムと前記スライダとの間の前記第１の軸上に固定されてなることを特徴とするヒンジ装置。
【請求項６】
第１の部材と第２の部材とを開閉可能に連結するとともに、前記第１の部材と前記第２の部材とが互いに独立して回転可能にしたヒンジ装置を備える機器であって、
前記第１の部材に固定された軸支部に支持された第１の軸と、
この第１の軸に支持されて回転するフレームと、
前記フレームを貫通して端部を前記第１の軸側に突出させて前記第１の軸と交差方向に設置され、前記第２の部材に取り付けられた第２の軸と、
前記第１の軸にばねとともに支持されて前記第１の軸上を摺動するスライダと、
前記フレームの回転により前記スライダを摺動させ、前記ばねを圧縮させ、前記ばねの圧縮状態又は圧縮からの開放状態により、前記フレームを所定角度で安定させるカム機構と、
前記スライダに形成され、前記第２の軸の前記端部を収容する切欠部と、
を備えることを特徴とするヒンジ装置を備える機器。
【発明の詳細な説明】
【技術分野】
【０００１】
本発明は、携帯電子機器の本体部とディスプレイ部等の２以上の部材間を連結し、各部材の回転や部材間の開閉等の操作に用いられるヒンジ機構に関し、特に、回転軸を直交させたヒンジ装置及びヒンジ装置を備える機器に関する。
【背景技術】
【０００２】
ビデオカメラ、パーソナルコンピュータ、ディジタルカメラ等の電子機器では、筐体部とモニタ部との間にヒンジ装置が設置され、このヒンジ装置によって筐体部とモニタ部とを連結するとともに、筐体部とモニタ部とを回転させたり、折り畳む等の機械的な操作が可能である。このようなヒンジ装置には、機器の仕様や一定角度で停止できる等の機能を実現するため、例えば、各軸に独立した回転角度を規制する機能を有すること、各軸に一定の摺動回転トルクの発生機能を有すること、各軸に一定角度の位置で回転抵抗を生じるクリック感発生機能を有すること等が求められている。
【０００３】
このようなヒンジ装置に関し、特許文献１には、支持壁の一部に回転規制のスリットを設けたものが開示され、特許文献２には、支持壁面にばね力により摩擦板を押しつけるものが開示され、特許文献３には、回転する円盤の外周円に設けた凸部を凹状板ばねで受け、両者を摺動させるものが開示され、特許文献４では、２軸構成のヒンジ機構が開示されている。また、特許文献５では、開閉軸の摺動回転トルクを発生するためのカム機構及びばねが開閉軸の一端側に配置されたものが開示されている。
【特許文献１】特開平８−２７０６３８号公報（要約及び図３等）
【特許文献２】特開平９−３２９１２７号公報（要約及び図１等）
【特許文献３】特開平１０−６８４１２号公報（要約及び図１等）
【特許文献４】特開２０００−２４０６３６号公報（要約及び図１等）
【特許文献５】特開２００４−３６０７５８号公報（要約及び図１等）
【発明の開示】
【発明が解決しようとする課題】
【０００４】
ところで、２軸構成のヒンジ機構（特許文献４）は、特許文献１〜３に開示された機能を２軸構成で実現したものであるが、開閉軸に複雑な加工を必要とし、加工コストが高くなるという課題がある。また、特許文献５に開示されたヒンジ機構では、カム機構及びばねが開閉軸の一端側に配置されているため、カム機構及びばねが回転部分に占める割合が大きく、これがヒンジ装置の小型化を妨げている。
【０００５】
そこで、本発明の目的は、カム機構やばねを備えるヒンジ装置に関し、コンパクト化を図ることにある。
【０００６】
また、本発明の他の目的は、カム機構やばねを備えるヒンジ装置を用いる機器に関し、機器内のヒンジ装置のコンパクト化を図ることにある。
【課題を解決するための手段】
【０００７】
上記課題を解決するため、本発明は、第１の軸にフレームが回転可能に支持され、フレームを貫通して端部を第１の軸側に突出させた第２の軸が備えられ、第１の軸にばねを介して摺動するスライダ及びカム機構が設置されており、スライダに切欠部を備えたことにより、この切欠部に第２の軸の一部を収納し、ヒンジ装置のコンパクト化が図っている。
【０００８】
そこで、本発明の第１の側面は、第１の軸と、この第１の軸に支持されて回転するフレームと、前記フレームを貫通して端部を前記第１の軸側に突出させ、前記第１の軸と交差方向に設置した第２の軸と、前記第１の軸にばねとともに支持されて前記第１の軸上を摺動するスライダと、前記フレームの回転により前記スライダを摺動させ、前記ばねを圧縮させ、前記ばねの圧縮状態又は圧縮からの開放状態により、前記フレームを所定角度で安定させるカム機構と、前記スライダに形成され、前記第２の軸の前記端部を少なくとも収容する切欠部とを備える構成である。斯かる構成により、上記目的が達成される。
【０００９】
上記目的を達成するためには、上記ヒンジ装置において、好ましくは、前記カム機構は、前記フレームとともに前記第１の軸上を回転する第１のカムと、前記第１の軸に固定されて前記第１のカムと噛み合う第２のカムとを備える構成としてもよい。斯かる構成によっても、上記目的が達成される。
【００１０】
上記目的を達成するためには、上記ヒンジ装置において、好ましくは、前記カム機構は、前記スライダと一体化されて前記フレームとともに回転する第１のカムと、前記第１の軸に固定されて前記第１のカムと噛み合う第２のカムとを備える構成としてもよい。斯かる構成によっても、上記目的が達成される。
【００１１】
上記目的を達成するためには、上記ヒンジ装置において、好ましくは、前記切欠部に前記第２の軸の前記端部に固定したカム板を収容させた構成としてもよい。斯かる構成によっても、上記目的が達成される。
【００１２】
上記目的を達成するためには、上記ヒンジ装置において、好ましくは、前記第２のカムは、前記フレームに固定されて前記フレームとともに回転する第１のカムと前記スライダとの間の前記第１の軸上に固定されてなる構成としてもよい。斯かる構成によっても、上記目的が達成される。
【００１３】
上記目的を達成するため、本発明の第２の側面は、第１の部材と第２の部材とを開閉可能に連結するとともに、前記第１の部材と前記第２の部材とが互いに独立して回転可能にしたヒンジ装置を備える機器であって、前記第１の部材に固定された軸支部に支持された第１の軸と、この第１の軸に支持されて回転するフレームと、前記フレームを貫通して端部を前記第１の軸側に突出させて前記第１の軸と交差方向に設置され、前記第２の部材に取り付けられた第２の軸と、前記第１の軸にばねとともに支持されて前記第１の軸上を摺動するスライダと、前記フレームの回転により前記スライダを摺動させ、前記ばねを圧縮させ、前記ばねの圧縮状態又は圧縮からの開放状態により、前記フレームを所定角度で安定させるカム機構と、前記スライダに形成され、前記第２の軸の前記端部を収容する切欠部とを備える構成である。斯かる構成により、上記目的が達成される。
【発明の効果】
【００１４】
以上説明したように、本発明によれば、次の効果が得られる。
【００１５】
(1) 第１の軸上にあるばねとカム機構とをスライダ及び第２の軸を挟んで対称位置に配置されるので、第１の軸方向の幅を小さくできる。
【００１６】
(2) スライダに切欠部を設け、この切欠部内に第２の軸の端部を収容するので、第２の軸方向の幅を小さくできる。
【００１７】
(3) 以上により、ヒンジ装置の小型化を図ることができる。
【００１８】
(4) また、以上により、斯かるヒンジ装置を機器に用いれば、その機器におけるヒンジ装置の占める割合を小さくできる。
【発明を実施するための最良の形態】
【００１９】
〔第１の実施の形態〕
【００２０】
本発明の第１の実施の形態について、図１ないし図３を参照して説明する。図１は、第１の実施の形態に係るヒンジ装置を示す斜視図、図２は、その分解斜視図、図３は、ヒンジ装置のフレーム及びその近傍を切断して示した正面図である。図１ないし図３に示すヒンジ装置は、本発明の一例であって、斯かる構成に本発明が限定されるものではない。
【００２１】
このヒンジ装置２には、一対の軸支部４、６に支持される第１の軸として開閉軸８が設けられ、この開閉軸８にはフレーム１０が回転可能に支持されている。フレーム１０には第２の軸として回転軸１２が回転可能に支持され、回転軸１２は開閉軸８と交差方向に配置されている。
【００２２】
フレーム１０を貫通させた回転軸１２の端部１４はフレーム１０の内側に突出しており、フレーム１０の内側に突出させた回転軸１２にはカム板１６が固定され、このカム板１６とフレーム１０との間には、フレーム１０に固定されたばね板１８が設置されている。
【００２３】
カム板１６には、ストッパ２０が形成されているとともに、切欠凹部２２、２４が形成されている。ストッパ２０はカム板１６の半径方向の周面部に突出し、フレーム１０の立壁部２６のストッパ窓部２８又はストッパ窓部３０に当たり、回転軸１２の回転角度を規制する。即ち、ストッパ２０がストッパ窓部２８に当たる位置を例えば、回転始点とすれば、ストッパ窓部３０に当たる位置が回転終点である。この回転始点から回転終点までの回転角度が回転軸１２の回転許容角度θｎ（例えば、３３０度）である。
【００２４】
また、切欠凹部２２、２４は、カム板１６の直径方向の位置にあり、これに対応し、ばね板１８には一対の突部３２が形成されている。ばね板１８は、カム板１６側に凸となるように屈曲され、フレーム１０とカム板１６との間に復元力を作用させているから、突部３２にはカム板１６との接触により、回転軸１２の回転にばね板１８の復元力による摩擦がその回転負荷として作用しているが、突部３２が切欠凹部２２、２４に到達してはまり込むと、その負荷が解除されるとともに、回転に対する阻止力が作用する。この結果、突部３２と切欠凹部２２、２４とが係合する角度位置に安定状態を生じさせる。回転軸１２には、カム板１６、ばね板１８及びフレーム１０によって回転始点と回転終点との間に単一又は複数の所謂止まる位置が設定されている。
【００２５】
フレーム１０を支持する開閉軸８には、フレーム１０の内側でコイルばね３４、スライダ３６及びカム機構３８が支持されている。スライダ３６は例えば、合成樹脂で一体に形成される。コイルばね３４とスライダ３６とは固定されており、コイルばね３４はフレーム１０に固定されて開閉軸８を中心にフレーム１０とともに回転可能であるとともに、スライダ３６は開閉軸８上を摺動可能である。カム機構３８は、第１及び第２のカム４０、４２で構成されており、この第１の実施の形態では例えば、合成樹脂の成形体であって、カム４０とスライダ３６とは一体に構成され、カム４２は開閉軸８に固定されている。即ち、カム４０はフレーム１０とともに回転するのに対し、カム４２は非回転状態に維持される。従って、カム４０、４２に形成されている突部４４、４６と凹部４８、５０との位置関係により、突部４４、４６が合致するときには、コイルばね３４を圧縮してスライダ３６をコイルばね３４の圧縮方向に移動させ、突部４４と凹部５０又は突部４６と凹部４８が合致するときには、コイルばね３４の圧縮を緩め、スライダ３６をコイルばね３４の復元方向に移動させる。このようなカム機構３８による、カム４０、４２の噛み合いにより、開閉軸８の回転に単一又は複数の所謂止まる位置が設定されている。
【００２６】
スライダ３６には切欠凹部５２が形成され、この切欠凹部５２にはフレーム１０の内側に突出する回転軸１２の端部１４が収容されている。この切欠凹部５２は端部１４を含むカム板１６等を収容する構成としてもよい。
【００２７】
ここで、切欠凹部５２の長さＬ、幅Ｗ及び深さＤについて、長さＬは、スライダ３６のスライド幅より大きく設定し、幅Ｗは、フレーム１０の内側に突出する回転軸１２の端部１４の太さの他、切欠凹部５２に収容される部分の幅Ｗより大きく設定し、深さＤは、フレーム１０の内側に突出する回転軸１２の端部１４の突出長、切欠凹部５２に収容される部分の突出長を超える大きさに設定すればよい。このように構成すれば、スライダ３６と回転軸１２側との接触を回避してスライダ３６の摺動を妨げることがなく、かつ、スライダ３６の切欠凹部５２内に回転軸１２側の突出部分を収容できるので、ヒンジ装置２のコンパクト化が図られる。
【００２８】
また、フレーム１０を貫通させた回転軸１２の端部１４はフレーム１０の内側に突出するとともに、フレーム１０の内側に突出させた回転軸１２にはカム板１６が固定され、このカム板１６とフレーム１０との間には、フレーム１０に固定されたばね板１８が設置されている構成であり、斯かる構成により、フレーム１０の開閉軸８の軸方向の幅を小さくでき、ヒンジ装置２のコンパクト化に寄与している。
【００２９】
開閉軸８を支持する軸支部４、６には、直角に屈曲させた固定部５４、５６が形成されているとともに、開閉軸８を支持する支持アーム５８が形成されており、固定部５４、５６には、それぞれ単一又は複数の固定孔６０が形成され、支持アーム５８には、開閉軸８の端部の形状に合致する長孔の固定孔６２が形成され、各固定孔６２に開閉軸８が挿入されて固定される。また、フレーム１０と軸支部４、６との間には、スペーサ６４が設置され、このスペーサ６４にも同様に長径状の固定孔６６が形成されている。このように開閉軸８の端部を長径状にするのは、開閉軸８が回転するのを防止するためであり、このような機能を有する形状であれば、どのような形状を用いてもよい。その場合、固定孔６２、６６も上記のように開閉軸８の端部の形状に合致するような形状とする必要がある。
【００３０】
フレーム１０には、開閉軸８を貫通させて開閉軸８に支持させる軸受部６８、７０が形成され、各軸受部６８、７０には、開閉軸８より僅かに径大な軸受孔７２が形成され、フレーム１０の滑らかな回転を可能にしている。各軸受部６８、７０には、立壁部２６の上部から延長させた支持アーム７３が固定されており、これが、フレーム１０と各軸受部６８、７０と立壁部２６とを繋ぐ梁の役割を果たすことからフレーム１０の機械的強度が強化されている。
【００３１】
また、回転軸１２の他方の端部には、ヒンジ装置２を機器等に取り付けるための取付部として、フレーム１０と平行に固定板７４が取り付けられ、この固定板７４には、複数の固定孔７６が形成されているとともに、固定板７４の平面部と直角を成す固定突部７８が形成されている。
【００３２】
次に、ヒンジ装置２の動作を図４ないし図６を参照して説明する。図４は、ヒンジ装置の開閉動作を示す図、図５は、ヒンジ装置の開閉動作に伴うスライダ及びコイルばねの動作を示す図、図６は、ヒンジ装置の回転動作を示す図である。
【００３３】
このヒンジ装置２は、直交する２軸回転として、開閉軸８を中心とするフレーム１０の回転（第１の回転）と、回転軸１２の回転（第２の回転）とを実現している。
【００３４】
(1) 第１の回転
【００３５】
第１の回転では、図４の（Ａ）に示すように、フレーム１０を回転軸１２が下方にある位置から矢印ａで示す方向に回転させることができ、図４の（Ｂ）の位置は、その回転途上の位置を示している。そして、フレーム１０は、図４の（Ｃ）に示すように、支持アーム５８の突出方向と同一直線上の位置まで回転させ、その位置で停止する。即ち、この実施の形態では、フレーム１０は、９０度の回転が可能であり、矢印ｂはその反転方向を示している。
【００３６】
このような第１の回転に対応し、図４の（Ａ）に示す位置では、図５の（Ａ）に示すように、カム４０、４２の突部４４、４６、凹部４８、５０が噛み合い、安定した状態を維持する。この場合、コイルばね３４は、圧縮状態が最もゆるやかな状態にある。
【００３７】
フレーム１０を矢印Ｎで示す方向に回転させ、図４の（Ｂ）の位置に差しかかると、カム４０、４２は、噛み合い状態から突部４４、４６同士の当接状態に移行し、スライダ３６がコイルばね３４の圧縮方向に移動し（Ｘ１）、コイルばね３４は圧縮状態となる。図５の（Ｂ）は、この状態を示し、スライダ３６を通してカム４０、４２に作用するコイルばね３４の復元力が最も大きくなる。回転操作をしているユーザは、トルク感を感じることになる。
【００３８】
さらに、フレーム１０の回転が進むと、図４の（Ｃ）の状態に移行し、この状態では、カム４０、４２は、突部４４、４６同士の当接状態が解除され、再び噛み合い状態に移行し、スライダ３６がコイルばね３４の圧縮方向と反対方向に移動し（Ｘ２）、コイルばね３４は高度な圧縮状態から開放される。図５の（Ｃ）は、この状態を示し、スライダ３６を通してカム４０、４２に作用するコイルばね３４の復元力が最も小さくなる。回転操作をしているユーザは、トルク感から開放され、安定感を感じることになる。
【００３９】
このような回転について、スライダ３６の切欠凹部５２に回転軸１２側の突出部分が収容され、スライダ３６の摺動を妨げることがなく、スライダ３６と回転軸１２との干渉もない。コンパクト化されたヒンジ装置２を以て安定した回転動作が得られる。
【００４０】
(2) 第２の回転
【００４１】
第２の回転では、図６の（Ａ）に示すように、ストッパ２０をストッパ窓部２８の縁に当接させた状態では、切欠凹部２２、２４にばね板１８の突部３２がはまり込み、安定した固定状態（基本状態）となる。この状態を回転始点とし、矢印θｎ方向に回転させると、図６の（Ｂ）に示すように、回転途上で切欠凹部２２、２４にばね板１８の突部３２がはまり込み、回転を停止させれば、安定した固定状態となる。
【００４２】
この状態から矢印θｎ方向に回転を進めると、ストッパ２０がストッパ窓部３０の縁に当接して回転が阻止されるとともに、切欠凹部２２、２４にばね板１８の突部３２がはまり込み、安定した固定状態となる。即ち、この状態が回転終点である。この回転終点を回転始点とし、矢印θｎ方向と反対方向に回転させても同様の安定状態が回転途上で得られるとともに、回転終点で安定した固定状態が得られる。
【００４３】
このような回転について、既述した通り、スライダ３６の切欠凹部５２に回転軸１２側の突出部分が収容され、スライダ３６に回転軸１２の回転が妨げられることなく、同様にコンパクト化されたヒンジ装置２を以て回転軸１２側の安定した回転動作が得られる。
【００４４】
〔第２の実施の形態〕
【００４５】
本発明の第２の実施の形態について、図７及び図８を参照して説明する。図７は、ヒンジ装置を備える機器の構成例において、開閉軸を中心とする開閉を示す図、図８は、回転軸を中心とする回転を示す図である。
【００４６】
ヒンジ装置２を備える機器２００は、第１の部材２０２と第２の部材２０４とを備えており、部材２０２、２０４間をヒンジ装置２で連結させたものである。部材２０２は、ヒンジ装置２の軸支部４、６に固定ねじ２０６を以て固定されている。また、部材２０４は、ヒンジ装置２の固定板７４に固定ねじ２０８を以て固定されている。
【００４７】
斯かる構成によれば、ヒンジ装置２の２軸回転機能により、図７に示すように、部材２０２に対して部材２０４を矢印ｍで示す方向に開閉させることができるとともに、図８に示すように、第１の部材２０２と部材２０４との相対的な位置関係を回転軸１２を中心に矢印ｎで示すように、回転させて変位させることができる。この場合、開閉範囲（ｍ）は９０度であり、回転範囲（ｎ）は３３０度程度である。
【００４８】
このような２軸回転が可能であれば、機器２００は、例えば、ビデオカメラや携帯電話機等に適用し、所望の回転変位を実現することができ、利便性を高めることができる。
【００４９】
しかも、コンパクト化されたヒンジ装置２を適用した機器２００では、機器２００に対し、ヒンジ装置２が占める割合が小さくなり、機器２００のコンパクト化を図ることができる。
【００５０】
〔第３の実施の形態〕
【００５１】
本発明の第３の実施の形態について、図９及び図１０を参照して説明する。図９は、第３の実施の形態に係るヒンジ装置を示す斜視図、図１０は、その分解斜視図である。図９及び図１０において、図１及び図２と同一部分又は対応部分に同一符号を付してある。
【００５２】
第１の実施の形態はスライダ３６にカム機構３８の第１のカム４０を一体に形成した構成であるのに対し、第３の実施の形態では、スライダ３６から第１のカム４０を分離、独立させ、フレーム１０の軸受部６８側に固定する構成としたものである。この場合、カム４０のカム面は、スライダ３６側に向けられ、このカム４０に対し、開閉軸８に固定されたカム４２のカム面を対向させたものである。即ち、カム４２は、カム４０とスライダ３６との間に挟み込んでいる。
【００５３】
このような構成により、前記のようにフレーム１０を開閉軸８を中心に回転させると、フレーム１０に固定されたカム４０、スライダ３６、コイルばね３４は、フレーム１０とともに回転する。そして、カム４０、４２の噛み合いによりカム機構３８が機能する。この場合、開閉軸８に固定されて回転しないカム４２と、コイルばね３４を介してフレーム１０に固定されて回転するスライダ３６との間には、回転摩擦面７９が形成される。
【００５４】
斯かる構成によっても同様に図４及び図５に示す動作が得られ、図７及び図８に示す機器２００に実施して同様の開閉動作が得られる。
【００５５】
また、この第３の実施の形態のヒンジ装置２のカム４０にあっては、フレーム１０との固定を強化するため、フレーム１０の上面に載置する載置部８２が形成されているとともに、固定突部８４が形成されている。この固定突部８４は、フレーム１０の軸受部６８に形成された固定溝８６に嵌合させ、フレーム１０とカム４０とが固定される。
【００５６】
このようなフレーム１０とカム４０とを直結した構成によれば、スライダ３６とカム４０との結合関係が解消され、フレーム１０の回転に伴うスライダ３６やコイルばね３４に対する過剰な回転応力の負荷が軽減できる。
【００５７】
また、スライダ３６及びカム４２を共に合成樹脂等で形成し、回転摩擦面７９を滑らかな構成とすれば、ゆるやかな回転が得られる。また、回転摩擦面７９に適当な摩擦を設定すれば、回転にその負荷が加わり、適当なトルク感を得ることができる。
【００５８】
〔第４の実施の形態〕
【００５９】
本発明の第４の実施の形態について、図１１を参照して説明する。図１１は、第４の実施の形態に係るヒンジ装置のフレーム及びその近傍部分を切り欠いて示した正面図である。図１１において、図１及び図２と同一部分又は対応部分に同一符号を付してある。
【００６０】
第１の実施の形態では、回転軸１２をフレーム１０に貫通させて支持させ、その支持構造は、ばね板１８及びカム板１６によって構成されているが、第４の実施の形態では、フレーム１０の下面側に軸支持部８０を突出させ、この軸支持部８０によって回転軸１２を支持する構成としたものである。斯かる構成とすれば、回転軸１２の支持強度が高められ、回転軸１２の振れを防止することができ、安定した回転を得ることができる。
【００６１】
〔他の実施の形態〕
【００６２】
(1) 上記実施の形態では、合成樹脂で形成されたスライダ３６を例示したが、板金加工されたコ字形状の金属体で構成してもよい。
【００６３】
(2) 上記実施の形態では、合成樹脂で形成されたスライダ３６を例示したが、ダイカスト成形された金属体で構成してもよい。
【００６４】
以上述べたように、本発明の最も好ましい実施の形態等について説明したが、本発明は上記記載に限定されるものではなく、特許請求の範囲に記載され、又は、発明を実施するための最良の形態に開示された発明の要旨に基づき、当業者において様々な変形や変更が可能であり、斯かる変形や変更が本発明の範囲に含まれることはいうまでもない。
【産業上の利用可能性】
【００６５】
カム機構及びばねを備えるヒンジ装置に関し、カム機構とばねとの間で摺動可能なスライダを設置してばねの復元力をカム機構に作用させる構成とするとともに、スライダに切欠部を設けて回転軸の端部を収容する構成としたので、ヒンジ装置のコンパクト化が図られ、有用である。
【図面の簡単な説明】
【００６６】
【図１】第１の実施の形態に係るヒンジ装置の一例を示す斜視図である。
【図２】ヒンジ装置を示す分解斜視図である。
【図３】ヒンジ装置の一部を切り欠いて示した正面図である。
【図４】ヒンジ装置の開閉動作を示す図である。
【図５】ヒンジ装置の開閉動作に伴うスライダ及びコイルばねの動作を示す図である。
【図６】ヒンジ装置の回転動作を示す図である。
【図７】第２の実施の形態に係るヒンジ装置を備える機器の一例及びその開閉動作を示す図である。
【図８】ヒンジ装置を備える機器の回転動作を示す図である。
【図９】第３の実施の形態に係るヒンジ装置の一例を示す斜視図である。
【図１０】ヒンジ装置を示す分解斜視図である。
【図１１】第４の実施の形態に係るヒンジ装置の一部を切り欠いて示した正面図である。
【符号の説明】
【００６７】
２  ヒンジ装置
４、６  軸支部
８    開閉軸（第１の軸）
１０  フレーム
１２  回転軸（第２の軸）
１４  端部
３４  コイルばね
３６  スライダ
３８  カム機構
４０  第１のカム
４２  第２のカム
５２  切欠凹部                                                                
【図１】
2008089049.tif 000003
【図２】
2008089049.tif 000004
【図３】
2008089049.tif 000005
【図４】
2008089049.tif 000006
【図５】
2008089049.tif 000007
【図６】
2008089049.tif 000008
【図７】
2008089049.tif 000009
【図８】
2008089049.tif 000010
【図９】
2008089049.tif 000011
【図１０】
2008089049.tif 000012
【図１１】
2008089049.tif 000013